(57)【要約】【課題】紙体を所定の長さの引き代を残して切断可能であり、さらに防水性も備えた紙体ホルダーを提供すること。【解決手段】紙体ホルダー１の本体１０は、紙体１７の外周を略半円弧状に囲うカバー１４と、カバー１４の一方の円弧端面に対向し、前記円弧端面との間で引き出される紙体１７が摺動する当接面１６１を有し、前記引き代を紙体１７の外周から離間させるように紙体１７に対して位置している案内部材１６と、を備え、紙体ホルダー１の切断手段は、紙体１７が折り返されるカバー１４の一方の円弧端縁に切断刃１４１を有し、紙体１７は、切断刃１４１に抗して引き張ることにより切断可能である。【選択図】図２
2007296005.tif 000002
【特許請求の範囲】
【請求項１】
ロール状に巻かれた紙体を回転自在に軸支する本体と、前記本体から引き出される前記紙体を所定の長さを有する引き代を残し、かつ、前記引き代を前記紙体の外周から離間させた状態で切断可能な切断手段と、を備える紙体ホルダー。
【請求項２】
前記本体は、前記紙体の外周を略半円弧状に囲うカバーと、
前記カバーの一方の円弧端面に対向し、前記円弧端面との間で引き出される前記紙体が摺動する当接面を有し、前記引き代を前記紙体の外周から離間させるように前記紙体に対して位置している案内部材と、をさらに備え、
前記切断手段は、前記紙体が折り返される前記カバーの一方の円弧端縁に切断刃を有し、
前記紙体は、前記切断刃に抗して引き張ることにより切断可能である請求項１に記載の紙体ホルダー。
【請求項３】
前記案内部材から延長する前記紙体の引き代を摘持可能な空間が前記カバーの端部と前記紙体の外周面との間に形成されるように前記カバーと前記案内部材を配置する請求項２に記載の紙体ホルダー。
【請求項４】
前記案内部材の当接面には、前記紙体が引き出し方向と逆方向に進行することを抑止する逆進行抑止手段を設けている請求項２または請求項３に記載の紙体ホルダー。
【請求項５】
前記本体および前記カバーは防水性を有する素材からなり、前記紙体の略上部半分を囲うように前記本体と前記カバーを組み合わせて配置している請求項２から請求項４のいずれかに記載の紙体ホルダー。
【請求項６】
前記カバーの他端と前記本体とを回動可能に連結する連結部と、前記カバーが開くように付勢し防水性を有する弾性シートと、をさらに備え、
前記弾性シートは、一端側は前記本体に固定され、他端側は前記連結部を通過して前記紙体を覆うように前記カバーと前記紙体との間に進入するように延びている請求項２から請求項５のいずれかに記載の紙体ホルダー。
【請求項７】
前記カバーの一端側の回動運動を前記案内部材の揺動運動に変換するカム装置をさらに備え、
前記カム装置は、前記カバーを開くと前記案内部材を前記紙体の外周から遠ざけ、前記カバーを閉じると前記案内部材を前記紙体の外周に近づける請求項２から請求項６のいずれかに記載の紙体ホルダー。
【請求項８】
前記本体は、前記紙体を回転自在に軸支する片持ち軸と、前記紙体の異なる内径に対応して前記片持ち軸に係合自在な複数のアダプタと、を備える請求項１から請求項７のいずれかに記載の紙体ホルダー。
【請求項９】
前記紙体がトイレットペーパーまたはキッチンペーパーである請求項１から請求項８のいずれかに記載の紙体ホルダー。
【発明の詳細な説明】
【技術分野】
【０００１】
本発明は、紙体ホルダーに関する。
【背景技術】
【０００２】
従来、トイレットペーパーやキッチンペーパー等のロール状に巻かれた紙体を軸支し、所定の長さで切断する紙体ホルダーが提案されている。
【０００３】
当該紙体ホルダーを使用する際には、ロール状に巻かれた紙体の端部を摘んで所望の長さ分引き出し、切断刃により切断する。
【０００４】
このような従来の紙体ホルダーの多くは、一方の縁端にのこぎり状の切断刃を有する略円弧状のペーパー押さえを備えており、ユーザは、このペーパー押さえの略円弧状の縁端部を当該ロール状の紙体の外周に沿うように押さえつけて当該紙体を固定し、切断刃に抗するように当該紙体を引き張ることによって切断する。
【０００５】
このため、切断後の紙体の端部はロール状の紙体に密着しており、さらにペーパー押さえの縁端の切断刃がさらに押さえつける状態となっている。そのため、次回当該紙体の端部を摘むためには、一度当該ペーパー押さえを起こしてロール状の紙体の外周部から離間させ、さらに当該ロール上の紙体に密着した端部を摘みあげることになる。
【０００６】
その結果、連続して当該紙体を引き出す場合には多くの操作が必要になり、時間と労力がかかることになっていた。
【０００７】
そこで、トイレットペーパーホルダーに取り付けて使用する装着切断具であって、当該トイレットペーパーホルダーのペーパー押さえの先端から所定の長さ分の引き代を残して切断可能な装着切断具が開示されている（例えば、特許文献１参照）。
【特許文献１】実用新案登録第３０７９６５４号公報
【発明の開示】
【発明が解決しようとする課題】
【０００８】
しかしながら、特許文献１に記載された装着切断具は、当該装着切断具の縁端に備えられたカッター部がペーパーロールの外周から少し反らした形状をしているため、使用時に誤って当該カッター部に指先が触れる可能性がある。
【０００９】
さらに、トイレットペーパーは一般に水溶性の紙体を使用しており、引き代がむき出しになっているため、水滴等で濡れると当該引き代が溶け出してうまく摘むことができない可能性がある。
【００１０】
本発明は、このような課題に鑑みてなされたものであり、紙体を所定の長さの引き代を残して切断可能であり、さらに防水性も備えた紙体ホルダーを提供することを目的とする。
【課題を解決するための手段】
【００１１】
具体的には、次のようなものを提供する。
【００１２】
（１）  ロール状に巻かれた紙体を回転自在に軸支する本体と、前記本体から引き出される前記紙体を所定の長さを有する引き代を残し、かつ、前記引き代を前記紙体の外周から離間させた状態で切断可能な切断手段と、を備える紙体ホルダー。
【００１３】
（１）の発明によれば、前記紙体ホルダーは、前記紙体を所定の長さを有する引き代を残し、かつ、前記引き代を前記紙体の外周から離間させた状態で切断することができる。このことにより、ユーザは、その後再び紙体を引き出す際に前記引き代を摘むことによって容易に引き出すことができる。
【００１４】
（２）  前記本体は、前記紙体の外周を略半円弧状に囲うカバーと、
前記カバーの一方の円弧端面に対向し、前記円弧端面との間で引き出される前記紙体が摺動する当接面を有し、前記引き代を前記紙体の外周から離間させるように前記紙体に対して位置している案内部材と、をさらに備え、
前記切断手段は、前記紙体が折り返される前記カバーの一方の円弧端縁に切断刃を有し、
前記紙体は、前記切断刃に抗して引き張ることにより切断可能である（１）に記載の紙体ホルダー。
【００１５】
（２）の発明によれば、前記紙体ホルダーは、前記紙体を引き出す際に前記カバーの円弧端面と案内部材の当接面との間で前記紙体を摺動させることができる。
【００１６】
このことにより、ユーザは、前記紙体を引き張ることによって切断する際に、前記カバーを前記案内部材の当接面に向かって当接するように押さえることによって、前記紙体が前記カバーの円弧端面と前記案内部材の当接面とにより挟持され、確実に固定することができ、もって確実に所望の位置で前記紙体を切断することが可能となる。
【００１７】
また、前記案内部材は、前記引き代を前記紙体の外周から離間させるように前記紙体に対して位置していることから、前記紙体の外周から離間した状態にある前記引き代を確実につかむことができる。
【００１８】
さらに、このような構成によれば、切断刃（切断手段）が紙体の外周に沿う略円弧状のカバーの端縁に備えられているため、誤って当該切断刃（切断手段）に指先が触れる可能性を低くすることができる。
【００１９】
（３）  前記案内部材から延長する前記紙体の引き代を摘持可能な空間が前記カバーの端部と前記紙体の外周面との間に形成されるように前記カバーと前記案内部材を配置する（２）に記載の紙体ホルダー。
【００２０】
（３）の発明によれば、前記紙体ホルダーは、前記カバーの端部と前記紙体の外周面との間に前記引き代を摘持するための空間を形成することができる。このことにより、ユーザは、前記空間に一方の指を挿入することによって他方の指とで前記紙体の引き代および前記カバーの端部を挟持し、前記引き代を摘んで引き出すことができる。
【００２１】
（４）  前記案内部材の当接面には、前記紙体が引き出し方向と逆方向に進行することを抑止する逆進行抑止手段を設けている（２）または（３）に記載の紙体ホルダー。
【００２２】
（４）の発明によれば、前記紙体ホルダーは、前記逆進行抑止手段により、紙体が逆方向に進行することを抑止し、一度引き出した紙体が逆方向に進行して引き代が短くなったりなくなったりすることを抑制することができる。このことにより、ユーザは、確実に順次紙体を引き出すことができる。
【００２３】
（５）  前記本体および前記カバーは防水性を有する素材からなり、前記紙体の略上部半分を囲うように前記本体と前記カバーを組み合わせて配置している（２）から（４）のいずれかに記載の紙体ホルダー。
【００２４】
（５）の発明によれば、前記紙体ホルダーは、上方から水滴等が落下した場合にも前記紙体が濡れるのを防止することができる。特に前記紙体がトイレットペーパー等の水溶性の素材からなる場合には、水滴等によりトイレットペーパー等が溶け出すのを防止することができる。特にトイレットペーパー等の引き代が溶け出すのを防止することができれば、ユーザは確実に前記紙体を引き出すことができる。
【００２５】
（６）  前記カバーの他端と前記本体とを回動可能に連結する連結部と、前記カバーが開くように付勢し防水性を有する弾性シートと、をさらに備え、
前記弾性シートは、一端側は前記本体に固定され、他端側は前記連結部を通過して前記紙体を覆うように前記カバーと前記紙体との間に進入するように延びている（２）から（５）のいずれかに記載の紙体ホルダー。
【００２６】
（６）の発明によれば、前記紙体ホルダーは、前記カバーが回動した場合にも、その動きに合わせて前記弾性シートの他端を前記カバーに当接させつつ前記紙体を覆い、上方から水滴等が落下した場合にも前記紙体が濡れるのを防止することができる。このことにより、前記カバーおよび前記本体の形状や前記連結部との位置関係により前記連結部付近に隙間が形成されるような場合にも（５）の発明による効果をより確実に発揮することができる。
【００２７】
（７）前記カバーの一端側の回動運動を前記案内部材の揺動運動に変換するカム装置をさらに備え、
前記カム装置は、前記カバーを開くと前記案内部材を前記紙体の外周から遠ざけ、前記カバーを閉じると前記案内部材を前記紙体の外周に近づける（２）から（６）のいずれかに記載の紙体ホルダー。
【００２８】
（７）の発明によれば、前記紙体ホルダーは、前記カバーを開くと前記案内部材を前記紙体の外周から遠ざけることができるので、前記引き代も前記案内部材により支持されることにより前記紙体の外周からより離間することになり、その結果前記引き代と前記紙体の外周との間の空間がより広げられ、ユーザはより容易に前記引き代をつかむことができる。
【００２９】
また、このような構成によれば、前記カバーを閉じた状態においては、前記案内部材を前記紙体の外周により近接させても、前記カバーを開けた状態においては前記案内部材を前記紙体の外周から離間させることが可能となるため、前記紙体ホルダーの奥行きをより短く構成することが可能となる。
【００３０】
（８）  前記本体は、前記紙体を回転自在に軸支する片持ち軸と、前記紙体の異なる内径に対応して前記片持ち軸に係合自在な複数のアダプタと、を備える（１）から（７）のいずれかに記載の紙体ホルダー。
【００３１】
（８）の発明によれば、前記紙体ホルダーは、内径が異なる紙体を軸支する場合にも前記内径に応じた前記アダプタを適宜選択して係合させることにより、様々な内径を持つ紙体に対応して使用することができる。
【００３２】
（９）  前記紙体がトイレットペーパーまたはキッチンペーパーである（１）から（８）のいずれかに記載の紙体ホルダー。
【００３３】
（９）の発明によれば、前記紙体がトイレットペーパーまたはキッチンペーパーである場合に、（１）から（８）と同様の効果が期待できる。
【００３４】
このことにより、トイレにおいては引き代を確実に残して連続的にトイレットペーパーが切断可能となり、また防水性も備えるため、ユニットバスなどのシャワーの水でトイレットペーパーが濡れることも抑止できる。また、キッチンにおいても引き代を確実に残してキッチンペーパーを連続的に切断可能となり、同様の防水効果によりキッチンの水道等でキッチンペーパーが濡れることも抑止できる。
【発明の効果】
【００３５】
本発明によれば、紙体を所定の長さの引き代を残して切断可能であり、さらに防水性も備えた紙体ホルダーを提供することができる。
【発明を実施するための最良の形態】
【００３６】
以下、本発明の実施形態について、図面を参照して説明する。
【００３７】
図１は、本発明の好適な実施形態の一例に係る紙体ホルダーの構成を示す斜視図である。図２は、本発明の好適な実施形態の別の一例に係る紙体ホルダーの構成を示す斜視図である。図３は、本発明の好適な実施形態の別の一例に係る紙体ホルダーの構成を示す右側面図である。図４は、本発明の好適な実施形態の別の一例に係る紙体ホルダーの構成を示す左側面図である。図５は、本発明の好適な実施形態の別の一例に係る紙体ホルダーの構成を示す右側面図である。図６は、本発明の好適な実施形態の別の一例に係る紙体ホルダーの構成を示す左側面図である。
【００３８】
紙体ホルダー１は、ロール状に巻かれた紙体１７を回転自在に軸支する本体１０を備えている。本体１０は、後部１１に対してそれぞれＬ字型に構成した左側面部１２および右側面部１３にそれぞれ設けられた連結部１２１および１３１を介してカバー１４が回動可能に接続されている。
【００３９】
カバー１４の縁端には、のこぎり状の切断刃（切断手段）１４１が備えられている。この切断刃（切断手段）１４１は、紙体１７を引き出して切断する際に使われる。
【００４０】
紙体ホルダー１は、さらに紙体１７を軸支するためのシャフト１５を備えている。この実施形態においては、シャフト１５は左側面部１２から突出する片持ち軸となっており、紙体１７を交換する際には、カバー１４を開いて右側から使用済みの紙体１７を抜き去り、新しい紙体１７を挿入することができる。シャフト１５の形状、紙体１７を軸支する方法は様々なものが使用可能であり、シャフト１５を右側面部１３から突出する片持ち軸としてもよいし、左側面部１２および右側面部１３双方の内側に可動式の突起を設けることによって軸支するものであってもよい。
【００４１】
シャフト１５は、さらに紙体１７の内芯１７１の直径に応じて係合可能なアダプタ１５１を備える。アダプタ１５１は、様々なものが使用可能であり、カバー１４を開けて右側面部１３から抜差しする筒状の部材でもよいし、あるいは内芯１７１の直径に応じた多数の金属製やプラスチック製のリングや中心にシャフト１５が挿貫可能な穴を備えた円形プレートの外周を筒状の布や可塑性のシートで覆って伸び縮み可能とし、左側面部１２の内側に縮めて収納可能としてもよい。
【００４２】
紙体ホルダー１は、図１に示すように紙体１７の外周から離間し、シャフト１５より下側まで伸びたカバー１４の先端に切断刃（切断手段）１４１を備える構成でもよいし、図２に示すように、さらに引き出した紙体１７の引き代１７１を切断刃（切断手段）１４１へ向けて案内する案内部材１６を備える構成でもよい。
【００４３】
図１に示すような構成を持つ場合においては、紙体１７の引き代１７１は、紙体１７の外周から離間した位置で切断されることになるため、重力により、カバー１４と紙体１７の外周との間の空間に自然に垂下することになり、ユーザは、次の引き代１７１を容易につまむことができる。
【００４４】
また、図２に示すような構成を持つ場合においては、案内部材１６はさらに、カバー１４の一方の円弧端面に対向し、かつ、前記円弧端面との間で引き出される紙体１７が摺動する当接面１６１を有する。
【００４５】
この紙体ホルダー１を使って紙体１７を切断する際には、まず引き代１７１を引いて所望の長さだけ紙体１７を引き出し、カバー１４を上から押えるようにすると、カバー１４の円弧状の端部の内壁と案内部材１６の当接面１６１とで紙体１７を挟持する形となり、紙体１７をそれ以上引くことができなくなる。そこで、紙体をさらに切断刃１４１に抗するように引き張ることによって切断する。
【００４６】
切断後には、案内部材１６から延長した紙体１７の引き代１７１が残る形となり、案内部材１６によって形成されたカバー１４の円弧状の縁端部と案内部材１６との間の空間に指を差し込むことにより、引き代１７１を容易に摘み出すことができる。
【００４７】
ここで、当接面１６１には、紙体１７が引き出し方向と逆方向に進行することを抑止する逆進行抑止手段を設けている。この逆進行抑止手段としては、様々なものが可能であり、紙体１７を引き出す方向に沿った植毛を有する布により構成してもよい。また、アザラシの毛皮（皮革）を利用して当接面１６１に起毛するように構成してもよい。
【００４８】
なお、紙体ホルダー１の本体１０の素材は様々なものが使用可能である。木製でもよいし、プラスチックで構成してもよい。また、カバー１４についても同様であるが、透明なアクリル等で構成すれば、紙体１７の残量や引き代１７１の位置の視認が容易になる。また、シャフト１５や案内部材１６についても木製、プラスチック製等様々な素材が使用可能であるが、図１のような片持ち軸の場合は適度な強度も要求されるため金属製としてもよい。
【００４９】
図２に示すように、引き出された紙体１７は、円弧状のカバー１４と対向する案内部材１６の当接面１６１との間を通り、カバー１４の先端に至り、当該先端部に備えられた切断刃（切断手段）１４１によって切断される。
【００５０】
カバー１４と案内部材１６の当接面１６１との間にはちょうど指が入る程度の空間が形成されており、この空間に下方から指を挿入して紙体１７の引き代１７１とカバー１４の縁端部を摘み、内側の紙体１７の引き代１７１を摘み出すように指を動かせば容易に紙体の引き代１７１を引き出すことができる。
【００５１】
静電気等により、引き出した紙体１７の引き代１７１が当接面１６１に張り付いている場合にも、紙体１７のロールの外周面に張り付いているわけではないので、当該空間に指を挿入すれば比較的容易に紙体１７の引き代１７１を引き出すことが可能である。
【００５２】
また、後部１１の上端には、防水性を有する弾性シート１８を備えている。弾性シート１８は、カバー１４を開くように付勢し、連結部１２１、１３１付近を通ってカバー１４と紙体１７の間に紙体１７を上から覆うように伸びている。
【００５３】
弾性シート１８は、カバー１４を開閉した場合にはその動きに合わせてたわみ、連結部１２１、１３１付近に形成されるカバー１４と後部１１との間の空間を覆うことができる。弾性シート１８は様々な素材で構成可能であり、好適には防水ナイロンで構成してもよい。
【００５４】
また、カバー１４および弾性シート１８は紙体１７の略上部半分を覆っているため、上方から水滴等が落下した場合にも紙体１７が濡れるのを防止することができる。ユニットバス等に設置したトイレットペーパーホルダーとして応用すれば、この防水機能により、シャワー等の水滴でトイレットペーパーが濡れるのを抑止できる。また、キッチンで使用する場合にも、水道水でキッチンペーパーが濡れるのを抑止できる。
【００５５】
図４に示すように、案内部材１６の当接面１６１は左側面部１２に固定されているため、紙体１７のロールの大きさにかかわらず所定の位置で安定的に使用可能である。
【００５６】
図５および図６に示すように、カバー１４の一端側の回動運動を案内部材１６の揺動運動に変換するカム装置１９を備えることにより、紙体ホルダー１は、カバー１４を開けたときに案内部材１６を紙体１７の外周から遠ざけるようにするため、案内部材１６に支持されている引き代１７１がさらに紙体１７の外周から離間することになり、ユーザはより容易に引き代１７１をつまむことができる。
【００５７】
より具体的には、図５に示すように、プレート状のカム装置１９は、連結部１９１で左側面部１２に回動自在に連結されており、その縁端部において案内部材１６を支持している。また、このカム装置１９をさらに外側から覆うカバー１４の左側面部１２の内側には、カム装置１９と同一面内にプレート状の部材１４２が備えられている。
【００５８】
そして、図６に示すように、カバー１４を開けたときには、プレート状の部材１４２がカム装置１９を押し上げることにより、カム装置１９は、左側面部１２の突起部１９２が１９２ガイドレール１９３に沿うように連結部１９１を中心に回動し、その縁端部において支持する案内部材１６を押し上げることになる。その結果、案内部材１６に支持される引き代１７１はより紙体１７から離間することになり、ユーザは引き代１７１をより容易に摘む事ができる。
【００５９】
また、このような構成によれば、カバー１４を閉じた状態においては、案内部材１６を紙体１７の外周により近接させても、カバー１４を開けた状態においては案内部材１６を紙体１７の外周から離間させることが可能となるため、図１や図２ないし図４に示した紙体ホルダー１よりも奥行きを短く構成することが可能となる。
【００６０】
なお、この実施形態においてはトイレットペーパーを例に取り上げて説明したが、本発明の技術的範囲はこれに限られず、キッチンペーパー、アルミホイルなど、本実施例と同様の構成が適用可能な紙体１７（厳密には素材は紙に限られず、切断刃（切断手段）１４１で切断可能なものが含まれる）を対象として適用してもよい。また、紙体１７の取り付け角度も本実施例の構成に限らず、ロールを回転軸が鉛直方向に収容するようなものでもよい。
【００６１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００６２】
【図１】本発明の好適な実施形態の一例に係る紙体ホルダーの構成を示す斜視図である。
【図２】本発明の好適な実施形態の別の一例に係る紙体ホルダーの構成を示す斜視図である。
【図３】本発明の好適な実施形態の別の一例に係る紙体ホルダーの構成を示す右側面図である。
【図４】本発明の好適な実施形態の別の一例に係る紙体ホルダーの構成を示す左側面図である。
【図５】本発明の好適な実施形態の別の一例に係る紙体ホルダーの構成を示す右側面図である。
【図６】本発明の好適な実施形態の別の一例に係る紙体ホルダーの構成を示す左側面図である。
【符号の説明】
【００６３】
１  紙体ホルダー
１０  本体
１２１、１３１  連結部
１４  カバー
１４１  切断刃（切断手段）
１６  案内部財
１６１  当接面
１７  紙体
１７１  引き代
１８  弾性シート
１９  カム装置
【図１】
2007296005.tif 000003
【図２】
2007296005.tif 000004
【図３】
2007296005.tif 000005
【図４】
2007296005.tif 000006
【図５】
2007296005.tif 000007
【図６】
2007296005.tif 000008